(57)【要約】空冷冷却装置は、補助冷却を提供するように専用化された独立の冷却コイル（３１４）の使用により満足される補助冷却要求及び冷却装置能力に適合するように寸法決めされたコンデンサ部分（３００）を有する。独立の冷却コイル（３１４）が現在のコンデンサ（３００）内に位置されるが、既存のコンデンサ内の利用できる空間及び既存のコンデンサファン（３２０）により駆動される空気流の一部を利用する。従って、補助冷却能力は、単一の専用コイルデザインを具備するが、別法としては既存の設備及び空間を使用する。【選択図】図３Ｂ
2010534819.tif 000002
【特許請求の範囲】
【請求項１】
冷却が蒸気圧縮システムにより提供される冷却システムであって、
コンプレッサ排出ラインからの暖かい高圧蒸気が蒸気を冷却する屋外ユニット１２０内に位置するコンプレッサ３００へ循環され、凝縮されてコンプレッサへ循環され、屋外ユニット内の空冷コンデンサ３００と組み合わせて、屋外ユニット１２０内のコンデンサ３００内に位置する独立の冷却コイル３１４を有する補助回路と、冷却を必要とする区域に連通する熱移送デバイスと、熱移送デバイスから独立の冷却コイル３１４へ流体を循環させる熱移送ループとが設けられ、熱が熱移送デバイスからの流体により吸収され、独立の冷却コイル３１４により流体から除去されることを特徴とする冷却システム。
【請求項２】
空冷コンデンサ３００であって、
第１の流体を循環させるための第１のループの一部を形成する第１のコイル３１０と、第２の流体を循環させるための第２のループの一部を形成する第２のコイル３１４とを有し、
第１のループがコンプレッサから第１のコイル３１０へ暖かい高圧蒸気として第１の流体を循環させるためにコンプレッサ及びコンプレッサ排出ラインに接続するようにされ、
第２のループが、熱移送デバイスを含み、熱移送デバイスから第２のコイル３１４へ暖かい流体を循環させるために熱移送デバイスに接続されることを特徴とする空冷コンデンサ。
【請求項３】
前記第１のコイル３１０に隣接した開口２２２を備えた構造体２２４と、開口を通して空気を移動させるためのファン３２０とを更に有し、ファンが第１のコイル３１０及び第２のコイル３１４上で空気を吸引することを特徴とする請求項２の空冷コンデンサ。
【請求項４】
前記第１のコイル内の第１の流体が冷媒であることを特徴とする請求項２の空冷コンデンサ。
【請求項５】
前記第２のコイル内の第２の流体がオイル、水、水溶液及び凝固点抑制剤からなるグループから選択されることを特徴とする請求項２の空冷コンデンサ。
【請求項６】
前記凝固点抑制剤がグリコールであることを特徴とする請求項５の空冷コンデンサ。
【請求項７】
前記第２のコイル（３１４）が第１のコイル（３１０）を収容する構造体（２２４）内に収納されることを特徴とする請求項３の空冷コンデンサ。
【請求項８】
前記第２のループが冷却を必要とする区域に連通する熱移送デバイスと、循環する流体を収容するために熱移送デバイスと第２のコイル（３１４）との間を延びる導管とを更に有することを特徴とする請求項２の空冷コンデンサ。
【請求項９】
前記第２のコイル（３１４）がコイルスラブを形成するように第１のコイル（３１０）の下方に位置し、一対のスラブがＶ字幾何学形状を形成するように位置決めされることを特徴とする請求項２の空冷コンデンサ。
【請求項１０】
空冷コンデンサであって、
複数の部分（３３０）であって、各部分が第１の流体を循環させるための第１のループの一部を形成する第１のコイル（３１０）と、第１のコイル（３１０）に隣接する開口（２２２）を備えた構造体（２２４）と、開口（２２２）を通して空気を移動させるためのファン（３２０）とを含み、各部分内の第１のコイル（３１０）が互いに連通し、ファン（３２０）が第１のコイル（３１０）上で空気を吸引するような複数の部分を有し；
部分（３３０）のうちの少なくとも１つが第２の流体を循環させるための、第１のループとは独立のループの一部を形成する第２のコイル（３１４）を含み、ファン（３２０）が第２のコイル（３１４）上で空気を吸引するようにされ；
第１のループがコンプレッサから第１のコイル（３１０）へ暖かい高圧蒸気として第１の流体を循環させるためにコンプレッサ及びコンプレッサ排出ラインに接続するようにされ；
独立のループが熱移送デバイスと、熱移送デバイスから第２のコイル（３１４）へ暖かい流体を循環させるために熱移送デバイスと第２のコイル（３１４）との間を延びる導管と、を含む；ことを特徴とする空冷コンデンサ。
【請求項１１】
前記複数の部分のうちの第１の部分のみが第２のコイル（３１４）を含むことを特徴とする請求項１０の空冷コンデンサ。
【請求項１２】
前記複数の部分（３３０）が第２のコイル（３１４）を含み、第２のコイル（３１４）の各々が補助冷却能力を増大させるように単一の独立ループとして互いに連通することを特徴とする請求項１０の空冷コンデンサ。
【請求項１３】
前記複数の部分（３３０）が第２のコイル（３１４）を含み、第２のコイル（３１４）の少なくとも２つが複数の独立ループの一部を形成することを特徴とする請求項１０の空冷コンデンサ。
【請求項１４】
コンデンサ冷却能力又は補助冷却能力を増大させるために付加的な部分（３３０）が付加されることを特徴とする請求項１０の空冷コンデンサ。
【請求項１５】
前記第２のコイル（３１４）が第２の部分（３３０）内に含まれ、第２の部分内の第２のコイル（３１４）が、複数の独立ループを提供するように、第２の熱移送デバイス、及び、第２の熱移送デバイスから第２のコイルへ暖かい流体を循環させるために第２の熱移送デバイスと第２のコイルとの間を延びる第２の導管に接続されることを特徴とする請求項１０の空冷コンデンサ。
【請求項１６】
前記第２のコイル（３１４）が第１のコイル（３１０）の１つを収容する構造体（２２４）内に収納されることを特徴とする請求項１０の空冷コンデンサ。
【請求項１７】
空冷コンデンサ及びクーラーであって、
冷媒流体を循環させる第１の回路の一部であるコンデンサコイル（３１０）と；
第２の流体を循環させる第２の回路の一部である補助冷却コイル（３１４）と；
を有し、
コンデンサコイル（３１０）及び補助冷却コイル（３１４）が独立の入口及び出口を有し、コンデンサコイル及び補助冷却コイルがキャビネット内に位置する；
ことを特徴とする空冷コンデンサ及びクーラー。
【請求項１８】
入口マニホルド（９６０）と出口マニホルド（９６２）とを更に有し、各マニホルドは、回路が互いに独立になるように、第２の回路から第１の回路を分離するバッフルを有することを特徴とする請求項１７の空冷コンデンサ。
【請求項１９】
前記コンデンサコイル及び補助冷却コイルのうちの少なくとも１つが多チャンネルチューブを更に有することを特徴とする請求項１７の空冷コンデンサ。
【発明の詳細な説明】
【関連特許出願に対する相互参照】
【０００１】
[0001]本願は、２００７年７月２４日に出願された「AUXILIARY COOLING SYSTEM FOR MODULAR AIR-COOLED CHILLERS」という名称の米国仮特許出願番号第６０／９５１，５９９号の利益を主張し、参照としてここに組み込む。
【技術分野】
【０００２】
[0002]本発明は、一般に空調システムにより十分に供給されない特殊化した熱発生機能のための補助冷却を提供するために冷却されているビルの外部に位置する空冷コンデンサ（air-cooled condenser：空冷凝縮器）と一緒に使用する補助冷却システムに関する。
【背景技術】
【０００３】
[0003]コンディショニングされた空間内にない冷却システムの或る要素もまた冷却を必要とする。例えば、加熱、通気及び空調システムの電子制御に関連する電気要素は作動の結果としてかなりの熱を発生することがある。このような要素は、普通大気から要素を隔離する別個の囲い又はキャビネット内に収容される。しかし、囲いは一般に風雨に耐えるもので、通気性に乏しく、そのため、キャビネット内のパワー電子半導体要素が作動中に大量の熱を発生させるので、囲い又はキャビネット内で熱の実質的な形成がまた生じる。電子半導体要素の破壊又は電子半導体要素の適正な作動を脅かすことのある温度の上昇を回避するため、この熱を除去する必要がある。
【０００４】
このような補助要素から熱を除去する工程は、補助冷却として参照される。補助冷却はまた、冷媒及びオイルを分離するためにコンプレッサの出口に設置したオイルセパレータを利用するある蒸気圧縮システムにおいても使用される。オイルはオイルセパレータからコンプレッサへ戻る。ある応用においては、オイルセパレータを去るオイルの温度はかなり上昇し、システムの適正な作動のためには、オイルがコンプレッサに戻る前にその冷却が必要となる。オイルの冷却はまた補助冷却システムにより提供される。
【０００５】
[0004]屋上のようなビルの外部に位置する空冷コンデンサを利用する冷却システムに対しては、補助冷却は便宜的には周囲空気により提供することができる。しかし、補助冷却は、冷媒又は冷えた水により提供することができる。このようなデザインにおいては、過剰の熱は熱移送デバイスのような熱移送デバイスにより囲いから移送され、デザインによっては、電子要素から熱移送デバイスへ直接移送され、熱移送デバイスは高い熱導電率を有する材料で構成され、熱移送デバイスは更にキャビネットから及び電気要素から熱を除去するために流体を循環させる熱移送ループの一部を構成する冷却チャンネルを含む。熱移送デバイスに接触する流体は熱移送デバイスから熱エネルギを除去する。次いで、この熱は流れる流体から除去しなければならない。
【０００６】
[0005]コンデンサの冷却効率に悪影響を及ぼさずに補助冷却を提供するための有効な装置及び方法は、一層珍重される改善である。更に、このような装置及び方法は望ましくは低コストで既存の機械的な足跡内において補助冷却を提供する。ここで述べるシステム及び／又は方法の意図した利点は、１又はそれ以上のこれらの要求を満たし、又は、他の有利な特徴を提供する。他の特徴及び利点はこの明細書から明らかとなろう。開示された教示は、上述の要求の１又はそれ以上を達成するか否かに拘わらず、特許請求の範囲の要旨内に入るそのような実施の形態まで広げられる。
【発明の概要】
【課題を解決するための手段】
【０００７】
[0006]空冷コンデンサは、商業的な冷却システムにおいて共通であり、屋外ユニットとして空冷コンデンサを利用することができる。コンデンサ部分は、システムの冷却能力に適合するように寸法決めされる。冷却は冷却すべき領域に対して適当に寸法決めされたコンプレッサを利用する蒸気圧縮システムにより提供される。コンプレッサ排出ラインからの暖かい高圧蒸気は、屋外ユニット内に位置するコンデンサに循環され、そこで、蒸気は冷却され、凝縮されて、コンプレッサへ戻るように循環される。
【０００８】
補助回路は、コンデンサの冷却コイルと組み合わされた屋外ユニット内に位置する独立の冷却コイルを含む。補助回路は、更に冷却を必要とする区域に連通する熱移送デバイスと、冷却プレートから流体を循環させる熱移送ループとを有し、プレートは区域から熱を吸収し、熱を流体に移送し、独立の冷却コイルに移送し、そこで、熱は屋外ユニット内の流体から除去される。
【０００９】
屋外ユニットは、空冷コンデンサを含み、このコンデンサは、第１の流体を循環させるための第１のループの一部を形成する第１のコイルと、第２の流体を循環させるための第２のループの一部を形成する第２のコイルとを有し、この場合、第１のループは、コンプレッサから第１のコイルへ暖かい高圧蒸気として第１の流体を循環させるためにコンプレッサ及びコンプレッサ排出部へ接続するようにされ、第２のループは、冷却プレートを含み、冷却プレートから第２のコイルへ暖かい流体を循環させるために冷却プレートに接続するようにされる。[0007]代替の例示的な実施の形態が実質上後に述べるように他の特徴及び特徴の組み合わせに関連する。
【図面の簡単な説明】
【００１０】
【図１】図１は、屋上の屋外ユニット内に位置されるコンデンサを利用する冷却システムを備えるビルを示す。
【図２】図２は、Ｗ形状に配置され、下方コイルの一部を補助冷却のために使用するコンデンサコイルを有するコンデンサを利用する従来のコンデンサの実施の形態の前面図及び側面図を示す。
【図３】図３は、Ｖ字形状のモジュラーコンデンサコイル内に位置する補助冷却コイルを示す、コンデンサの第２の実施の形態の前面及び側面図を示す。
【図４】図４は、Ｖ字形状のコンデンサコイルの底部に位置する補助冷却コイルを示す、コンデンサの実施の形態の側面図を示す。
【図５】図５は、Ｖ字形状のコンデンサコイル内に位置する拡大した冷却コイルを示す、コンデンサの実施の形態の側面図を示す。
【図６】図６は、コンデンサキャビネット内の水平補助冷却システムを示す、実施の形態のコンデンサの側面図を示す。
【図７】図７は、Ｖ字形状のコンデンサコイル内に収容されたＶ字形状の補助冷却コイルを示す、実施の形態のコンデンサの側面図を示す。
【図８】図８は、コンデンサコイル及びパネルに隣接してコンデンサファンの下方に装着された補助冷却コイルを示す、図３Ｂの一層詳細な図である。
【図９】図９は、コンデンサ流体（冷媒）及び別個のコンデンサループ内の補助流体の独立の流れを示す。
【発明を実施するための形態】
【００１１】
[0017]本発明は、現在のコンデンサ内に位置する独立の冷却コイルを利用するが、既存のコンデンサ内の利用できる空間及び既存のコンデンサファンにより駆動される空気流を使用する。従って、本発明の補助冷却能力はコンデンサループとは独立の専用のコイルデザインを具備するが、さもなければ、既存の設備及び空間を使用する。このようにして提供される補助冷却は比較的簡単な方法で付加される利点を提供する。
【００１２】
付加的な補助冷却が既存のコンデンサのネットワーク内で提供されるので、専用の補助冷却システムを用立てるために、既存のコンデンサの簡単な修正だけで済み、既存のコンデンサの再設計を必要としない。この専用で独立のコイルデザインの別の利点は、既存のコンデンサパッケージ内に位置していて、既存のファンを使用するが、コンデンサの効率を減少させないことである。従って、これまたコンデンサの性能を実質上減少させずに費用効果の問題を解決する。
【００１３】
[0018]図１は、ビル１００の屋上１０１に位置する屋外ユニット１２０内に収容されたコンデンサを利用する冷却システムを有するビル１００を示す。このビルにおいては、冷却システムは個々の冷却及び空気取り扱いシステムにより提供される。取り扱いシステム１４０は供給及び帰還ダクト１６０、１７０を介してコンディショニングされた空気を送給する。加熱及び冷却は各階に位置するサーモスタットのような温度測定装置１２５により規制される。加熱はビルの地下に位置し、各階の空気取り扱いシステムに接続されたボイラー１３０において中央集中化される。各階の個々の冷却システムはビル１００の屋上１０１に位置する屋外ユニット１２０内に位置するコンデンサに接続される。
【００１４】
[0019]図２ａは、コンデンサ２００を含む図１の屋外ユニット１２０の分解部品斜視図である。コンデンサ２００は、ほぼＷ字形状となって配列されたコイルを含む。図２ｂは、図２ａの従来のコンデンサ２００の前面図であり、図２ｃはその側面図である。コンデンサはＷ字形状となって配列された４つのコンデンサコイルを利用する。２つの外側のコイル２１０は実質上垂直方位で配列され、一方、内側のコイル２１２は実質上傾斜方位で配列される。傾斜した内側コイルの一部２１４は補助冷却のために利用される。補助冷却を提供するために内側コイル２１２の任意の部分を使用できるが、内側コイル２１２の底部が普通補助冷却のために使用される。
【００１５】
前面図である図２ｂは、Ｗ字形状となった冷却コイル２１０、２１２を示す。冷却コイルは、コンデンサ冷却に対して専用の上方の回路２１６と、補助冷却に対して専用の底部の陰影付の回路部分２１４とを含む。冷却コイルはキャビネット２２４を形成するパネル２１８により遮断されたコイルの図である図２ｂの側面図では明白ではないが、図２ａに良好に示す。補助冷却回路部分２１４は、独立のコイルではないが、むしろ、コイル２１２内の別個の回路である。図示のように、コンデンサコイル２１０、２１２の長さはユニットの能力及びファン２２０の数に比例して変わり、補助冷却回路部分２１４の長さも同様の方法で変わる。ファン２２０は冷却コイル２１０、２１２を収容するキャビネット２２４の側部でパネル２１８のルーバー２２２又は開口を通して冷却空気を吸引する。
【００１６】
コイル２１０、２１２上でファン２２０により吸引された空気は、コイル内の流体から熱を除去し、コイル内の流体の温度を減少させるために、熱交換流体として使用される。従って、既存のファン２２０により吸引された空気は内側コイルの下方部分２１４を形成する補助冷却回路内の及びコンデンサ回路２１０、２１６内の流体から熱を交換する。コンデンサ２００の寸法はコンデンサ２００内の冷却コイル２１０、２１２の寸法を変更することによりユニットの能力に適合され、ユニットの能力に応じて一層多くの又は一層少ないコンデンサを使用できることを理解されたい。また、補助冷却回路２１４は任意のコンデンサコイル内に位置することができ、コンデンサ回路２１０、２１６の長さは一層大きな又は一層小さな能力を提供するために変更することができることを理解されたい。
【００１７】
[0020]図３は、コンデンサ３００内の補助冷却コイル３１４の本発明の代替の実施の形態を示す。図３は、Ｖ字形状となった冷却コイル３１０を有するコンデンサの前面図及び側面図を示す。冷却コイルは、スラブ内に配置される。図３ｂのＶ字形状は、Ｖ字形状となって配列されている一対のスラブから由来する。コイルの形状はモジュラーデザインを提供する。図示の実施の形態においては、冷却コイル３１０の長さは変化しない。代わりに、コイル３１０は、ユニットの能力に比例した付加的なＶ字部分として付加又は削除される。
【００１８】
図示の形状においては、コンデンサコイル３１０及び補助コイル３１４は、構造上独立であるが、双方を通して空気流を駆動する同じファン３２０を共有する。前面図では第１のコンデンサ冷却コイル３１０のみが明白であり、コンデンサ冷却コイル３１０の残りは第１のコンデンサ冷却コイルの背後に位置する。独立の補助冷却コイル３１４は、コンデンサ冷却コイル３１０により形成されたＶ次幾何学形状内に収容される。独立の冷却コイルは、現在のコンデンサ内に位置するが、既存のコンデンサ内の利用できる空間及び既存のコンデンサファンにより駆動される空気流を利用する。
【００１９】
従って、補助冷却能力は、単一の専用コイルデザインを具備するが、さもなければ、既存の設備及び空間を使用する。図３ｂにおいて、コンデンサ３００は複数の部分３３０に分割され、各部分３３０は熱交換を提供するようにコイル上で周囲空気を吸引するために各部分３３０上に位置するファン３２０を備えたＶ字幾何学形状を有する冷却コイルを含む。部分３３０は、モジュラーデザインの一部として提供することができ、モジュラーデザインの部分３３０を付加又は削減することにより冷却能力の増大又は減少を許容する。
【００２０】
補助冷却コイル３１４の能力は、またその寸法及び／又はその数を修正することにより変えることができる。冷却コイルの幾何学形状はまた所望に応じて変えることができ、コイルの形状はＶ字幾何学形状に限定されない。図３ｂは単一の補助冷却コイル３１４を有するコンデンサを示し、各部分３３０は収容された補助冷却コイルを含むことができることを理解されたい。
【００２１】
[0021]図４は、図３に示すコンデンサ４００の変形例の側面図である。冷却コイル４１０は、モジュラーＶ字形状となって部分として配列され、各モジュラーＶ字形状部分は、コンデンサ冷却コイル４１０に隣接した独立の補助冷却回路の冷却コイル４１４を含む。補助冷却回路の冷却コイル４１４はＶ字形状のＶ字のベースに沿って位置し、コンデンサ回路の冷却コイル４１０はＶ字の上方脚部に沿って補助冷却回路の冷却コイル４１４上に配置される。
【００２２】
補助冷却回路の冷却コイル４１４は、付加的な部分４３０が追加されるときに、付加的な補助冷却を提供するように直列に接続することができる。代わりに、補助冷却回路は互いに独立に接続することができ、この場合、各補助冷却回路は熱形成を体験する異なる区域から熱を引き出すために使用されるが、各々は熱を除去するために補助冷却の使用を必要とする。補助冷却能力はまた、補助冷却回路を接続又は接続解除することにより、必要に応じて増大又は減少させることができる。興味あることは、上述のように、補助冷却能力は必要に応じて直列に接続することができ、又は、オイル冷却のための回路、及び、温度感知電子機器及び電気要素を含む可変速度制御子（ＶＳＤ）の冷却のための回路のような種々の要素に対して専用の補助冷却を提供するようにチャンネル化することができる。
【００２３】
提供されたすべての補助冷却が必要でない場合、必要以外の補助回路は、冷却流体がそこを通らないように、接続解除にしたままとすることができる。各部分内の冷却ファン４２０の作動は補助冷却コイル４１４及びコンデンサ冷却コイル４１０の双方の上で同時に熱交換流体として使用される周囲空気を吸引する。補助冷却回路の冷却コイル４１４の位置は図示のようにＶ字幾何学形状のベースとすることができるが、補助冷却回路の冷却コイル４１４はＶ字幾何学形状に沿った任意の箇所に位置させることができ、コンデンサ回路がいかなる補助回路とも独立しているので、コンデンサ冷却コイル４１０は補助回路の冷却コイル４１４とは独立している。図示の実施の形態は単一のＶ字形状を利用し、デザイン及び製造を簡単化する。
【００２４】
[0022]図５は、図４の変形例である。図５の側面図は、補助冷却回路のコイル５１４がコンデンサ５００の単一の部分内に位置することを明確に示す。図５において、補助冷却回路のコイル５１４はコンデンサ５００の前方部分内に位置するが、補助冷却回路のコイル５１４は単一の位置に限定されない。図５に示す実施の形態は、付加的な補助冷却が部分のＶ字部分内の補助冷却回路の冷却コイル５１４の寸法を修正することにより提供されるという点で、先の実施の形態とは異なる。
【００２５】
再度であるが、当業者なら、コンデンサ５００が２つ以上の部分５３０を有する場合は、補助冷却回路のコイル５１４がコンデンサ５００の任意の部分内に位置することができるが、補助冷却回路のコイル５１４の寸法又は長さは、システムの補助冷却要求に応じて変わることを理解できよう。図示の実施の形態においては、全体の製造は、一方が補助冷却回路のためのコイル５１４を備え、１又はそれ以上が補助冷却回路のためのコイルを有しないような少なくとも２つの異なるモジュラー要素を設けるという事実により、達成される。更に、所要の補助冷却能力に応じて、補助冷却回路のための異なる寸法の冷却コイル５１４を備えた部分５３０を形成するモジュラー要素が必要になることがある。
【００２６】
[0023]図６は、補助冷却コイルを有するコンデンサ６００の代替の実施の形態の側面図を提供する。図示の実施の形態においては、コンデンサ６００はコンデンサ回路内に複数のＶ字形状のコイル６１０を含むモジュラーデザインを有する。補助冷却回路の冷却コイル６１４はＶ字形状の冷却コイル６１０に隣接して位置する独立のコイルであり、コイル６１４は、実質上水平な位置で示す。補助回路の冷却コイル６１４の位置は実質上水平な位置に限定されず、Ｖ字形状のコイルに関して任意の角度位置をとることができる。また、補助冷却回路の冷却コイル６１４の幾何学形状は、コイル６１０が任意の形状をとれるように、変えることができる。先の実施の形態と同様に、図示の実施の形態はまた、補助冷却コイル６１４のための別個の冷却ファンを必要としないが、熱交換のための冷却流体の源として既存のコンデンサ冷却ファン６２０を利用する。
【００２７】
コンデンサ６００が複数の部分６３０を含む場合、補助冷却コイル６１４は、任意のコイル６１０のＶ字幾何学形状に隣接してその内部に位置することができる。図示の実施の形態においては、コンデンサ６００は複数の部分６３０を含むが、ここでは補助冷却コイル６１４を収容する部分６３２である部分はコンデンサ６００内の他のＶ字コイルとは僅かに異なる幾何学形状を有するコンデンサ冷却コイル６１０を有する。図示の実施の形態においては、補助冷却回路のコイル６１４は配列された最初又は最後のコイル６１０内で実質上水平に位置することができる。
【００２８】
[0024]図７は、本発明の補助冷却システムの代替の実施の形態の側面図を示す。コンデンサ７００は、複数の部分７３０を含み、各部分はコンデンサ冷却コイル７１０及びファン７２０を含む。１つの部分は更に補助冷却コイル７１４を含む。コンデンサ冷却コイル７１０及び補助冷却コイル７１４は互いに独立である。コンデンサ冷却コイル７１０は、側面から見た場合に実質上Ｖ字幾何学形状を有するように上述のように配列される。図示のように、補助冷却コイル７１４はコンデンサ冷却コイル７１０に関して収容することができる。補助冷却コイル７１４の幾何学形状はコンデンサ冷却コイル７１０の実質上Ｖ字の幾何学形状内に収容できるようなものである。
【００２９】
収容は部分７３２内で示すような補助冷却コイル７１４と一緒に収容されるときにコンデンサコイル７１０の幾何学形状の修正又は変形を必要とすることがある。補助冷却コイル７１４は、冷却空気がコンデンサ冷却コイル７１０及び補助冷却コイル７１４の双方上で循環するのを許容しながら、コンデンサ冷却コイル７１４の幾何学形状内に収容される任意の幾何学形状のものとすることができる。図示の実施の形態はまた、補助コイル７１４が既存のファン（単数又は複数）７２０により提供される冷却の利益を得るのを許容するが、補助冷却コイル７１４のための別個のファンのデザイン及びコンデンサ７００内への組み込みを必要としない。
【００３０】
補助冷却コイル７１４は、コンデンサ冷却コイル７１０の収容された位置で示され、コンデンサ７００の前方部分内に位置するが、当業者なら、コンデンサ７００が複数の部分７３０、７３２を含む場合、補助コイル７１４は任意の部分７３０内に位置することができ、任意のコンデンサ冷却コイル７１０内に収容できることを理解されたい。更に、補助冷却能力は、補助冷却コイル７１４の寸法を変えることにより又は補助冷却コイル７１４の数を変えることにより変更することができる。
【００３１】
[0025]再度図３を参照すると、補助冷却回路の冷却コイル３１４はコンデンサ冷却コイル３１０により形成されたＶ字内に位置する。Ｖ字形状のパネルは図８に示すようにコンデンサコイル３１０の（Ｖ字を形成する）各脚部間の空間を跨ぐ。図示のように、Ｖ字パネルは、空気がコンデンサコイル３１０をバイパスするのを阻止するように設置された金属シート構造体である。補助冷却を必要とする冷却システムの部分からの及び冷却を必要とするビル１００の領域からの加熱された冷却流体は補助冷却コイル３１４を含む補助冷却回路を通して循環される。
【００３２】
キャビネットを通してファン３２０により吸引された空気は、コンデンサコイル３１０及び補助冷却回路の補助コイル３１４の双方上で冷却空気を通過させ、コイルから熱を除去する。補助冷却回路のコイル３１４を通過する冷却流体は次いで、熱を除去した後、補助冷却コイル３１４を通り、補助冷却を必要とする領域へ戻るように循環することができる。冷却流体は任意の流体とすることができ、オイル、水、又は、水の凝固点を低下させるための凝固点抑制剤として作用するグリコール又は同様の添加剤で処理された水を含むことができる。
【００３３】
[0026]図９は、本発明の別の変形例におけるコンデンサコイル９１０及び補助冷却コイル９１４の構成を示す。先の実施の形態は、一方が冷媒凝縮のためのもので他方が補助冷却のためのものである２つの独立のコイルを示す。このような実施の形態は丸チューブ平坦プレートのフィンコイルに対して容易に履行される。図９の実施の形態は、１つが冷媒凝縮のためのもので他がオイル冷却のためのものである多チャンネルチューブ又はコイルにおいて独立の回路を生じさせるのに特に適する。コンデンサコイルは第１の流体である冷媒流体を循環させる第１の回路の一部であり、補助冷却コイルは第２の流体を循環させる第２の回路の一部である。
【００３４】
図９は、良好に明確にするために図示省略したファンを備えたキャビネット内に配置されたコイルを示さない。補助冷却コイルは、コンデンサコイルの下方に位置する。しかし、回路をコイルの任意の部位に位置させることができるので、コンデンサコイルの位置はこれに限定されない。図９において、２つのコイルは互いに隣接するが、回路は互いに独立であり、回路からの流体は流体の出入りを許容するように共通のマニホルドに入り、回路はダム／バッフルによりマニホルド内で互いに分離される。暖かい冷媒はマニホルド９６０内に形成された頂部の入口９５２においてコンデンサ冷却コイル９１０へ入り、コンデンサコイルを通って運ばれ、入口の下方でマニホルド９６０内に形成された出口９５４から冷えた冷媒としてコイルを出る。これに限定されないがオイル又はグリコールとすることができる補助冷却流体はマニホルド９６０内に形成された入口９５６において補助冷却コイル９１４へ入り、補助コイル９１４を通って循環し、マニホルド９６０内に形成された出口９５８において出る。
【００３５】
冷媒及び冷却流体は、マニホルド９６０、９６２内で混合しない。所望なら、単一のマニホルド９６０を使用することができ、この場合、第２の流体はマニホルド９６０内に位置する出口９５８において出入りする。ファン（図示せず）により吸引された空気はコイルの上を通過し、対流により熱を除去する。従って、本発明は、コンデンサの既存の設備及び空間を利用して費用を最小にしながら、冷却システムのための補助冷却能力を提供する。システムは更に必要に応じて補助冷却能力を増大させるか又は独立の冷却を必要とする種々の領域に対して独立の補助冷却を提供するための構成を提供する。
【００３６】
[0027]本願は、説明で述べた又は図面に示した詳細又は方法論に限定されないことを理解すべきである。また、ここで使用する表現法及び用語法は説明の目的のみのものであり、限定とみなすべきではないことを理解すべきである。[0028]図面に示し説明した例示的な実施の形態は現時点で好ましいものであるが、これらの実施の形態は単なる例として提供されることを理解すべきである。従って、本願は特定の実施の形態に限定されないが、それでも特許請求の範囲の要旨内に入る種々の修正に広げられる。任意のプロセス又は方法工程の順番又は順序は代替の実施の形態に従って変更又は順序変えすることができる。      
【００３７】
[0029]種々の例示的な実施の形態において示したようなシステムの構造及び構成は図示のみのためのものであることに留意することは重要である。この開示においてほんのいくつかの実施の形態を詳細に説明したが、この開示を吟味した当業者なら、特許請求の範囲に列挙された要旨の利点及び新規な教示から実質的に逸脱することなく、多くの修正（例えば、種々の要素の寸法、範囲、構造、形状及び比率の変更、パラメータの値、装着構成、材料、色彩、方位の使用等）が可能であることを容易に認識できよう。例えば、一体的に形成されたように図示された要素は多数の部品又は要素から構成することができ、要素の位置は逆にするか、さもなければ変更することができ、別個の要素の種類又は数は変更又は変化させることができる。
【００３８】
従って、すべてのこのような修正は本願の範囲内に含まれることを意図する。任意のプロセス又は方法工程の順番又は順序は代替の要素に従って変更又は順序変えすることができる。特許請求の範囲においては、いかなる手段−プラス−機能の条項も、列挙された機能を遂行するようにここで述べた構造、構造上の等価物のみならず等価の構造をもカバーすることを意図するものである。本願の範囲から逸脱することなく、例示的な実施の形態のデザイン、作動条件及び構成についての他の代替、修正、変更及び削除が可能である。
【符号の説明】
【００３９】
１２０：屋外ユニット、２２２：開口、２２４：キャビネット、３００：コンデンサ、３１０：冷却コイル、３１４：冷却コイル、３２０：ファン、３３０：部分、９６０：入口マニホルド、９６２：出口マニホルド。
【図１】
2010534819.tif 000003
【図２Ａ】
2010534819.tif 000004
【図２Ｂ】
2010534819.tif 000005
【図２Ｃ】
2010534819.tif 000006
【図３Ａ】
2010534819.tif 000007
【図３Ｂ】
2010534819.tif 000008
【図４Ａ】
2010534819.tif 000009
【図４Ｂ】
2010534819.tif 000010
【図５Ａ】
2010534819.tif 000011
【図５Ｂ】
2010534819.tif 000012
【図６Ａ】
2010534819.tif 000013
【図６Ｂ】
2010534819.tif 000014
【図７Ａ】
2010534819.tif 000015
【図７Ｂ】
2010534819.tif 000016
【図８】
2010534819.tif 000017
【図９】
2010534819.tif 000018
【手続補正書】
【提出日】平成22年3月31日(2010.3.31)
【手続補正１】
【補正対象書類名】特許請求の範囲
【補正対象項目名】全文
【補正方法】変更
【補正の内容】
【特許請求の範囲】
【請求項１】
冷却システムであって、
冷却が屋外ユニットを有する蒸気圧縮システムにより提供され、屋外ユニットが、蒸気圧縮システムのコンプレッサから冷媒蒸気を受け取るためのコンデンサと、該コンデンサとは実質上独立していて、補助回路から流体を受け取るための冷却コイルとを有し、
補助回路が、冷却を必要とする蒸気圧縮システムの部分に連通する熱移送デバイスを有し、補助回路が、熱移送デバイスから冷却コイルへ流体を循環させ、熱が、熱移送デバイスからの流体により吸収され、冷却コイルを通る空気流により流体から除去されることを特徴とする冷却システム。
【請求項２】
空冷コンデンサであって、
第１の流体を循環させるための第１のループの一部を形成する第１のコイルと、第１のコイルから独立していて、第２の流体を循環させるための第２のループの一部を形成する第２のコイルとを有し、
第１のループがコンプレッサに接続するようにされ、コンプレッサから第１のコイルへ第１の流体を循環させ、
第２のループが熱移送デバイスに接続するようにされ、熱移送デバイスから第２のコイル３１４へ第２の流体を循環させることを特徴とする空冷コンデンサ。
【請求項３】
前記第１のコイル及び第２のコイルを通して空気を循環させるためのファンを更に有することを特徴とする請求項２の空冷コンデンサ。
【請求項４】
前記第２のコイルがファンの近傍に位置することを特徴とする請求項３の空冷コンデンサ。
【請求項５】
前記第２のコイルが第２のコイルを通る実質上水平な空気流を可能にするように実質上垂直な方位を有することを特徴とする請求項４の空冷コンデンサ。
【請求項６】
前記第２のコイルが第２のコイルを通る実質上垂直な空気流を可能にするように実質上水平な方位を有することを特徴とする請求項４の空冷コンデンサ。
【請求項７】
前記第２のコイルがファンに対して反対側に位置することを特徴とする請求項３の空冷コンデンサ。
【請求項８】
前記第２のコイルが第２のコイルを通る実質上垂直な空気流を可能にするように実質上水平な方位を有することを特徴とする請求項７の空冷コンデンサ。
【請求項９】
前記第１のコイルが一対の第１のコイルからなり、第２のコイルが一対の第２のコイルからなり、対をなす第２のコイルの各第２のコイルが対をなす第１のコイルから構造的に独立しており、コイルスラブを形成するように対応する第１のコイルの下方に位置し、対応する対のコイルスラブがＶ字幾何学形状を形成するように位置することを特徴とする請求項７の空冷コンデンサ。
【請求項１０】
空冷コンデンサであって、
第１の流体を循環させる第１のループの一部を形成する第１のコイルと、第１のコイルを通して空気を循環させるためのファンとを各々有する複数の部分を備え、
複数の部分のうちの１つの部分が第２のコイルを有する第１の部分であり、第２のコイルが対応する第１のコイルとは独立しており、第２の流体を循環させる第２のループの一部を形成し、部分の対応するファンが第２のコイルを通して空気を循環させるように位置し、
第１のループがコンプレッサに接続するようにされ、第１のループがコンプレッサから第１のコイルへ第１の流体を循環させるように形状づけられており、
第２のループが熱移送デバイスに接続するようにされ、第２のループが熱移送デバイスから第２のコイルへ第２の流体を循環させるように形状づけられることを特徴とする空冷コンデンサ。
【請求項１１】
前記第２のコイルが第１のコイルとは実質上独立していることを特徴とする請求項１０の空冷コンデンサ。
【請求項１２】
前記複数の部分のうちの１つの部分とは異なる複数の部分のうちの別の部分が第２の部分であり、第２の部分が第３のコイルを有し、第３のコイルが対応する第１のコイルとは独立しており、第２のループの一部を形成し、第３のコイルが第２のコイルに流体連通することを特徴とする請求項１０の空冷コンデンサ。
【請求項１３】
前記複数の部分の各部分の第１のコイルが一対のコイルからなり、その一対のコイルが角度をなして位置し、第２のコイルが一対のコイル間に位置することを特徴とする請求項１０の空冷コンデンサ。
【請求項１４】
前記第２のコイルが第２のコイルを通る実質上水平な空気流を可能にするように実質上垂直な方位を有することを特徴とする請求項１３の空冷コンデンサ。
【請求項１５】
前記複数の部分のうちの１つの部分とは異なる複数の部分のうちの別の部分が第２の部分であり、第２の部分が第３のコイルを有し、第３のコイルが対応する第１のコイルとは独立しており、第３の流体を循環させる第３のループの一部を形成し、第３のループが第２のループとは独立しており、第３のループが第２の熱移送デバイスに接続するようにされ、第３のループが第２の熱移送デバイスから第３のコイルへ第３の流体を循環させるように形状づけられることを特徴とする請求項１０の空冷コンデンサ。
【請求項１６】
前記第２のコイルが第２のコイルを通る実質上垂直な空気流を可能にするように実質上水平な方位を有することを特徴とする請求項１３の空冷コンデンサ。
【請求項１７】
空冷コンデンサであって、
キャビネットと、
キャビネット内に位置し、冷媒流体を循環させる第１の回路の一部であるコンデンサコイルと、
コンデンサコイルとは構造的に独立しており、キャビネット内に位置し、第２の流体を循環させる第２の回路の一部である補助冷却コイルと、
キャビネット内に位置し、コンデンサコイル及び補助冷却コイルの双方を通して空気を循環させるための少なくとも１つのファンと、を有し、
コンデンサコイル及び補助冷却コイルが独立の入口及び出口を有することを特徴とする空冷コンデンサ。
【請求項１８】
前記補助冷却コイルが補助冷却コイルを通る実質上垂直な空気流を可能にするように実質上水平な方位を有することを特徴とする請求項１７の空冷コンデンサ。
【請求項１９】
前記コンデンサコイル又は補助冷却コイルの少なくとも１つが多チャンネルコイルを有することを特徴とする請求項１７の空冷コンデンサ。
【請求項２０】
前記補助冷却コイルが補助冷却コイルを通る実質上水平な空気流を可能にするように実質上垂直な方位を有することを特徴とする請求項１７の空冷コンデンサ。
【国際調査報告】
2010534819.tif 000019
2010534819.tif 000020